(57)【要約】【課題】安価な電気掃除機を提供する。【解決手段】電動送風機４で発生された吸引風によって吸引された塵埃を捕集する集塵室１４と、集塵室１４上方に設けられ開閉自在の集塵室カバー５と集塵室１４をエアータイトするダストフタパッキン３６とを備えた掃除機本体１と、掃除機本体１内に形成され集塵室１４と外気とを連通する吸気通路１７の途中に配されダストフタパッキン３６の一部で形成された連通穴１９と、通常、連通穴１９を閉成し、一定の塵埃を集塵室１４内に取り込むと連通穴１９を開成するエアプロテクター１５とを備え、エアプロテクター１５を収納する筒部２０を掃除機本体１で形成したもので、エアプロテクター１５の外郭構成部品を専用に製造する必要がなく、またエアプロテクター１５の設置場所が外観のデザインに限定されないので、エアプロテクター１５部分の他機種との共用化を図ることが出来る。【選択図】図３
2013183900.tif 000002
【特許請求の範囲】
【請求項１】
吸引風を発生させる電動送風機と、前記電動送風機で発生された吸引風によって吸引された塵埃を捕集する集塵室と、前記集塵室上方に設けられた開閉自在の集塵室カバーと、前記集塵室カバーと前記集塵室をエアータイトするパッキンとを備えた掃除機本体と、前記掃除機本体内に形成され前記集塵室と外気とを連通する吸気通路と、前記吸気通路の途中に配されると共に前記パッキンの一部で形成された連通穴と、通常は、前記連通穴を閉成し、一定の塵埃を前記集塵室内に取り込むと前記電動送風機の温度過昇防止のために、前記連通穴を開成するエアプロテクターとを備え、前記エアプロテクターを収納する筒部を前記掃除機本体で形成した電気掃除機。
【請求項２】
パッキンをエラストマーなどの軟質材で構成した請求項１に記載の電気掃除機。
【請求項３】
エアプロテクターをパッキン近傍に配した請求項１または２に記載の電気掃除機。
【請求項４】
エアプロテクターをパッキンに一体に形成すると共に、前記パッキンと連結する部分をヒンジ形状などで可動自在とした請求項１〜３のいずれかに１項に記載の電気掃除機。
【発明の詳細な説明】
【技術分野】
【０００１】
本発明は、電気掃除機に関するものである。
【背景技術】
【０００２】
電気掃除機の集塵室で捕集された塵埃の量が所定の量を超えると、電動送風機に十分な空気が流れなくなって、電動送風機の温度が異状に上昇することがある。従来、このような電動送風機の異常な温度上昇を防ぐ温度過昇防止装置の機能を、集塵室内の集塵量を表示するインジケーターに持たせた電気掃除機が提案されている。
【０００３】
このような従来の電気掃除機では、掃除機本体とフロントカバーとによりインジケーターを挟持して、インジケーターを支持する部品を必要とせず、部品点数を削減し、集塵容量の減少を防止していた（例えば、特許文献１参照）。
【０００４】
図５は、上記特許文献１に記載された従来の電気掃除機の要部断面図である。
【０００５】
図５において、従来の電気掃除機は、集塵室部１０３及び電動送風機収納室１０４を各々前後に内蔵した掃除機本体１０１と、掃除機本体１０１の前部に形成された吸気口１０５に取り付けられるフロントカバー１１２と、集塵室部１０３内の集塵量を示すインジケーター１１９を備えている。
【０００６】
インジケーター１１９は、掃除機本体１０１の集塵室部１０３の前壁１０６とフロントカバー１１２との間で挟持されている。
【０００７】
従来の電気掃除機は以上のように構成され、インジケーター１１９が掃除機本体１０１とフロントカバー１１２とにより挟持できるため、インジケーター１１９を支持する部品を必要とせず、部品点数を削減できるとともに、集塵室部１０３の集塵容量の減少を防止することができる。
【先行技術文献】
【特許文献】
【０００８】
【特許文献１】特開平８−５１５号公報
【発明の概要】
【発明が解決しようとする課題】
【０００９】
しかしながら前記従来の電気掃除機の構成においては、温度過昇防止装置自身を構成する部品が掃除機本体を構成する部品とは別途必要となり、電気掃除機の製造単価がコストアップとなる課題を有していた。
【００１０】
本発明は、上記課題を解決するもので、エアプロテクター単独の部品の製造が不要で、安価な電気掃除機を提供することを目的とする。
【課題を解決するための手段】
【００１１】
上記従来の課題を解決するために本発明の電気掃除機は、吸引風を発生させる電動送風機と、前記電動送風機で発生された吸引風によって吸引された塵埃を捕集する集塵室と、前記集塵室上方に設けられた開閉自在の集塵室カバーと、前記集塵室カバーと前記集塵室をエアータイトするパッキンとを備えた掃除機本体と、前記掃除機本体内に形成され前記集塵室と外気とを連通する吸気通路と、前記吸気通路の途中に配されると共に前記パッキ
ンの一部で形成された連通穴と、通常は、前記連通穴を閉成し、一定の塵埃を前記集塵室内に取り込むと前記電動送風機の温度過昇防止のために、前記連通穴を開成するエアプロテクターとを備え、前記エアプロテクターを収納する筒部を前記掃除機本体で形成したもので、電動送風機の温度過昇防止装置となるエアプロテクターの外郭を構成する部品を専用に製造する必要がなく、またエアプロテクターの設置場所が外観のデザインに限定されないのでエアプロテクター部分を容易に他機種と共用化を図ることが出来る。
【発明の効果】
【００１２】
本発明の電気掃除機は、電気掃除機のデザインに関わらず、エアプロテクター部品を機種間で共用することが可能となり、安価な電気掃除機を提供できる。
【図面の簡単な説明】
【００１３】
【図１】本発明の実施の形態１における電気掃除機の掃除機本体の斜視図
【図２】同電気掃除機の通常使用時の要部断面図
【図３】同電気掃除機の通常使用時の要部断面図
【図４】同電気掃除機のエアプロテクター動作時の要部断面図
【図５】従来の電気掃除機の要部断面図
【発明を実施するための形態】
【００１４】
第１の発明は、吸引風を発生させる電動送風機と、前記電動送風機で発生された吸引風によって吸引された塵埃を捕集する集塵室と、前記集塵室上方に設けられた開閉自在の集塵室カバーと、前記集塵室カバーと前記集塵室をエアータイトするパッキンとを備えた掃除機本体と、前記掃除機本体内に形成され前記集塵室と外気とを連通する吸気通路と、前記吸気通路の途中に配されると共に前記パッキンの一部で形成された連通穴と、通常は、前記連通穴を閉成し、一定の塵埃を前記集塵室内に取り込むと前記電動送風機の温度過昇防止のために、前記連通穴を開成するエアプロテクターとを備え、前記エアプロテクターを収納する筒部を前記掃除機本体で形成したもので、電動送風機の温度過昇防止装置となるエアプロテクターの外郭を構成する部品を専用に製造する必要がなく、またエアプロテクターの設置場所が外観のデザインに限定されないのでエアプロテクター部分を容易に他機種と共用化を図ることが出来る。
【００１５】
第２の発明は、特に、第１の発明のパッキンをエラストマーなどの軟質材で構成したもので、軟質材で構成することによりエアプロテクターの連通穴との密着性が向上するので、エアプロテクターの動作精度の向上を図ることが出来る。
【００１６】
第３の発明は、特に、第１又は第２の発明のエアプロテクターをパッキン近傍に配したもので、エアプロテクターがパッキン近傍にあることで、部品の組立性や、材料の使用量の減少という観点からも電気掃除機のコストダウンを図ることができる。
【００１７】
第４の発明は、特に、第１〜３のいずれか一つの発明のエアプロテクターをパッキンに一体に形成すると共に、前記パッキンと連結する部分をヒンジ形状などで可動自在としたもので、電気掃除機のコストダウンをさらに図ることができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における電気掃除機の掃除機本体の斜視図、図２は、同電気掃除機の通常使用時の要部断面図、図３は、同電気掃除機の通常使用時の要部断面図、図４は、同電気掃除機のエアプロテクター動作時の要部断面図である。
【００２０】
図１〜４において、本実施の形態における電気掃除機の掃除機本体１の外郭は、本体下ケース２と本体上ケース３から構成され、電動送風機４を内蔵し、前部に塵埃を捕集する集塵室１４を配し、前記集塵室１４内に集塵袋３１を備え、前記集塵袋３１は、本体下ケース２に固定するための口芯部３０を前部に有し、塵埃を捕集するろ紙からなる袋３１ａを後方に配している。
【００２１】
前記集塵室１４の天面には、開閉自在の集塵室カバー５が配され、集塵室カバー５は、開閉操作用の取っ手部６を備えている。集塵室カバー５と本体下ケース２の間には、集塵室１４と周囲とのタイト用のパッキンであるダストフタパッキン３６を備えている。電動送風機４の上部には、ハンドル７が、掃除機本体１の後部には、電気掃除機の電源コード９をそれぞれ備え、電源コード９の巻き取り用ボタン８をハンドル７に設け、また電動送風機４から排出される排気を排出するリヤカバー１３を配している。
【００２２】
また電動送風機４は、前記本体下ケース２と本体上ケース３に固定するために、前方はモーターサポートマエ３７で、後方は、モーターサポートウシロ３８で保持されている。前記モーターサポートマエ３７とモーターサポートウシロ３８は、本体下ケース２と本体上ケース３で保持されている。
【００２３】
掃除機本体１の前部には、ホース（図示せず）の一端に設けた接続パイプ（図示せず）が着脱自在に接続される吸入口１０が設けられている。
【００２４】
前記電動送風機４と集塵室１４の間には、連通口１８が設けられ、この連通口１８と本体下ケース２に形成した吸気通路１７を介して、集塵室１４と外気が連通している。この吸気通路１７の途中には、ダストフタパッキン３６の一部で形成された連通穴１９が設けられ、さらにこの吸気通路１７には、電動送風機４の異状温度上昇を防止するための温度過昇防止装置２１が設けられている。
【００２５】
この温度過昇防止装置２１は、上記連通穴１９と、通常時は連通穴１９を閉じる役目を果たすエアプロテクター１５と、エアプロテクター１５を連通穴１９側に常時付勢するエアプロテクターばね１６と、吸気通路１７の一部を形成する共に、エアプロテクター１５とエアプロテクターばね１６を収納する筒部２０から構成されている。
【００２６】
また、本体上ケース３のエアプロテクター１５の上方に位置する部分には、エアプロテクター１５へ外気を導入する導入穴２４が形成されている。さらに掃除機本体１の側面に掃除機本体１を床面上に置いた際の移動用の後輪１２を備えており、掃除機本体１の上部に構成されているハンドル７は、掃除機本体１を持ち運ぶ際に使用する取っ手となるもので、本体上ケース３に保持されている。
【００２７】
以上のように構成された本実施の形態における電気掃除機の作用は以下の通りである。利用者が電気掃除機の運転を始めると、電動送風機４による吸引風と塵埃は、吸入口１０を通過し集塵袋３１に到達する。集塵袋３１で、塵埃は捕集され空気のみが通過し、空気のみが電動送風機４を経て掃除機本体１の外に排出される。
【００２８】
さらに利用者が電気掃除機を使用し続けると、集塵袋３１にて捕集された塵埃３９が多くなり、集塵室１４内の負圧度が高まっていく。そして捕集された塵埃３９が一定量になると、集塵室１４と連通した温度過昇防止装置２１内のエアプロテクター１５と大気側へ付勢していたエアプロテクターばね１６が負圧により、下方へ移動する。これにより、集塵室１４に、導入穴２４、連通穴１９、吸気通路１７及び連通口１８を通じて外気が導入される。
【００２９】
従来の温度過昇防止装置であれば、エアプロテクター１５の本体を構成する部品が必要であるが、本実施の形態では、本体下ケース２にて、エアプロテクター１５とエアプロテクターばね１６を収納する筒部２０を形成し、また集塵室１４に直接連通する構成を設け、さらにエアプロテクター１５が開閉する連通穴１９をダストフタパッキン３６の一部で構成したことにより、これらの部品を別途製造する必要がない。
【００３０】
また本実施の形態におけるエアプロテクター１５やその取り付け部は、掃除機本体１の外観に影響されることが無くまた、集塵容量にも影響しないので、本体上ケース３のデザインが変更になった場合にでも、本体下ケース２の設計を変えることなく共用することが出来る。またエアプロテクター１５の位置をダストフタパッキン３６の近傍に設けることで、組立時に位置決めを容易に図ることが出来る。またエアプロテクター１５を、ダストフタパッキン３６に一体に形成し、エアプロテクター１５とダストフタパッキン３６との連結部分の肉厚を薄くし、ヒンジ形状とすることで、組立性の向上にもつながる。
【産業上の利用可能性】
【００３１】
以上のように、本発明にかかる電気掃除機は、電気掃除機を構成する部品点数を減らし、また外観に関わらず部品を機種間で共用することが出来るので、利用者に利便性を維持しながら安価な電気掃除機を提供することが出来、各種家庭用、業務用電気掃除機等に広く適用できる。
【符号の説明】
【００３２】
１  掃除機本体
２  本体下ケース
３  本体上ケース
４  電動送風機
５  集塵室カバー
６  取っ手部
７  ハンドル
８  巻き取り用ボタン
９  電源コード
１０  吸入口
１２  後輪
１３  リヤカバー
１４  集塵室
１５  エアプロテクター
１６  エアプロテクターばね
１７  吸気通路
１８  連通口
１９  連通穴
２０  筒部
２１  温度過昇防止装置
２４  導入穴
３０  口芯部
３１  集塵袋
３６  ダストフタパッキン（パッキン）
３７  モーターサポートマエ
３８  モーターサポートウシロ
３９  塵埃
【図１】
2013183900.tif 000003
【図２】
2013183900.tif 000004
【図３】
2013183900.tif 000005
【図４】
2013183900.tif 000006
【図５】
2013183900.tif 000007